(57)【要約】【課題】水難事故を防止する浮揚性を備えたウエットスーツ型の子供用水着を提供する。【解決手段】ウエットスーツ型の水着１の胸部内部及び背部内部に浮力体を収納した水着であって、胸部浮力体４は胸部を覆う幅と長さを有し、背部浮力体１０、１０は後身頃３のファスナー２にて左右に分割された対称位置に収納され、夫々背部の半分を覆う幅と長さに形成した。又、夫々の浮力体は軟質発泡体或いはエアーバッグで形成し、肌に接する面を平滑面４Ａ、１０Ａとし、外側に向けた表面４Ｂ、１０Ｂを膨出させ縦横の凹路６、１３にて複数の膨出部７、１４を形成した。【選択図】図２
0003098948.tif 000002
【実用新案登録請求の範囲】
【請求項１】
ウエットスーツ型の水着の胸部内部及び背部内部に浮力体を収納した水着であって、胸部内部の浮力体は胸部を覆う幅と長さを有し、背部内部の浮力体は後身頃のファスナーにて左右に分割された対称位置に収納され、夫々背部の半分を覆う幅と長さを有することを特徴とする浮力体を内蔵した子供用水着。
【請求項２】
浮力体は肌に接する面を平滑面とし、外側に向けた表面を膨出させ縦横の凹路にて複数の膨出部を形成した胸部浮力体と背部浮力体からなる請求項１の浮力体を内蔵した子供用水着。
【請求項３】
浮力体は軟質発泡体である請求項１の浮力体を内蔵した子供用水着。
【請求項４】
浮力体は発泡ウレタン製である請求項１の浮力体を内蔵した子供用水着
【請求項５】
浮力体は発砲ポリエチレン製である請求項１の浮力体を内蔵した子供用水着。
【請求項６】
浮力体はスチレンフォーム製である請求項１の浮力体を内蔵した子供用水着。
【請求項７】
浮力体はＥＰＳフォーム製である請求項１の浮力体を内蔵した子供用水着。
【請求項８】
浮力体はエアーバッグである請求項１の浮力体を内蔵した子供用水着。
【考案の詳細な説明】
【０００１】
【考案の属する技術分野】
この考案はウエットスーツ型の子供用水着に係り、水着の胸部内部及び背部内部に浮力体を内蔵したものである。
【０００２】
【従来の技術】
一般に、水着は遊泳が目的であるため、浮揚性のある水着は知られていない。又、水難事故に備えた浮揚性のライフジャケットは種々提案されているが、ライフジャケットは水着の上から、或いは着衣の上から着るもので、水着着用の遊泳時の水難事故対策には不向きである。
【０００３】
【考案が解決しようとする課題】
遊泳時には水着を着用するのみで、水着自体には浮揚性はなく、泳ぎの不得意な人、特に子供の水難事故に対しては対策がなかった。
本考案は、水着自体に浮揚性をもたせることにより遊泳時の子供の水難事故を防ぐ水着であって、且つ、遊泳時に体の動きに妨げとならない子供用水着を提供しようとするものである。
【０００４】
【課題を解決する為の手段】
その為、本考案は、ウエットスーツ型の子供用水着の胸部内部及び背部内部に浮力体を収納した水着であって、胸部内部の浮力体は胸部を覆う幅と長さを有し、背部内部の浮力体は後身頃のファスナーにて左右に分割された対称位置に収納され、夫々背部の半分を覆う幅と長さを有するものとし、水着自体に浮揚性をもたせたものである。
【０００５】
又、浮力体は、肌に接する面を平滑面とし、外側に向けた表面を膨出させ、縦横の凹路にて複数の膨出部を形成した胸部浮力体と背部浮力体にて構成される。
【０００６】
又、浮力体は軟質発泡体であり、具体的には発泡ウレタン、発砲ポリエチレン、スチレンフォーム若しくはＥＰＳフォームにより形成される。
【０００７】
又、浮力体はエアーバッグにより形成することもできる。
【０００８】
【作用】
これにより、水着自体に浮揚性を持たせることができ、水難事故に対して着用者を保護することになる。即ち、水着の胸部と背部に浮力体が内蔵されているため、水中にあって着用者の顔部分は水面上に現れ、溺れるのを防ぐ。
【０００９】
又、遊泳に際し、胸部の浮力体と背部の浮力体が分割して収納され、且つ、背部の浮力体は後身頃にて背骨を中心に対称位置に分割して収納されているため、肩の三角筋の運動に追随し、肩及び腕の動きに妨げとならず、着用していても違和感がない。
【００１０】
【実施例】
以下、本考案を実施例の図面に従って詳細に説明する。
１は上半身と下半身を包み込むウエットスーツ型の子供用水着で、ナイロン製生地にて形成され、背部のファスナー２にて後身頃３が分離するよう構成されている。
【００１１】
４は胸部に収納される軟質発泡体からなる胸部浮力体で、胸部を覆う幅及び長さを有し、肌に接する面を平滑面４Ａとし、浮遊力を増す為に外側に向く表面４Ｂを膨出５させ、且つ遊泳時の体の動きに追従し、邪魔にならないように縦方向及び横方向に凹路６を残して膨出部７が複数形成されている。
【００１２】
この胸部浮力体４は水着１の胸部内側に逢着８された袋部９に収納されている。袋部９はメッシュ地や網目の粗い生地で形成され、水による抵抗が極力低減されるように構成している。
【００１３】
又、１０、１０は水着１の後身頃３内に収納される背部浮力体で、胸部浮力体４と同様に軟質発泡体からなり、背中の左右半分ずつを覆う幅と長さを有し、背骨を中心に分割して構成されており、水着１の後身頃３のファスナー２を境に左右に分離し、水着１の後身頃３内に逢着８された袋部１１、１１内に収容されている。
【００１４】
この背部浮力体１０、１０も胸部浮力体４と同様に肌に接する面を平滑面１０Ａとし、外側に向く表面１０Ｂを部分的に膨出１２させ浮揚力を増すよう構成し、且つ遊泳時の体の動きに追従し、邪魔にならないように縦方向及び横方向に凹路１３を残して膨出部１４が複数形成されている。
【００１５】
尚、袋部１１、１１もメッシュ地や網目の粗い生地で形成され、水の抵抗が極力低減するよう構成されている。
【００１６】
尚、胸部浮力体４と背部浮力体１０は、具体的には浮揚力のある発泡ウレタン、発砲ポリエチレン、スチレンフォーム又はＥＰＳフォームにより形成されることがコスト面からも適している。しかし、浮揚力を得られる浮力体であればこれらに限定されることはない。
【００１７】
更に、胸部浮力体４と背部浮力体１０はエアーバッグであってもよく、膨出部７、１４を中空の空気室７Ａ、１４Ａとした空気体で形成することもできる（図７、図８参照）。
【００１８】
次に作用を説明すると、本考案の水着１を着用し遊泳する場合、水着１の胸部に収容された胸部浮力体４と、後身頃３内に収納された背部浮力体１０、１０の浮揚力により、着用している子供は浮力を得、溺れる恐怖を忘れ自由に泳ぐことができる。しかも、浮力体は水着の胸部と背部に分割して収納されているため立ち泳ぎしても体の上半身に浮力を得ることで体が沈まず、顔が水面上に現れることで着用する子供に安心感を与え、水泳の練習に適する。
【００１９】
更に、遊泳時にあっては胸部浮力体４及び背部浮力体１０、１０はは、肌に接する面が平滑面４Ａ、１０Ａとして形成され、外側に向けた表面４Ｂ、１０Ｂが凹路６、１３により膨出部７、１４として形成されることで、水流に対し縦横に形成された凹路６、１３が水路の如き作用を呈し、水流の抵抗を低減し泳ぎやすくなる。
【００２０】
しかも、膨出部７、１４に受ける水流の圧力により胸部浮力体４と背部浮力体１０、１０は肌に密着するように作用し、肌に接する面が平滑面４Ａ、１０Ａとしたことで胸部浮力体４と背部浮力体１０、１０は体に密着し、遊泳時の体の動きに邪魔にならず、体自体の浮揚力と相俟って浮力を増す。
【００２１】
【考案の効果】
本考案は水着自体に浮力体を内蔵することで浮揚性をもたせているので、泳ぎのできない子供でも浮くことができ、溺れることの恐怖を回避し得、水泳の練習に好適となる。
【００２２】
また、浮力体は柔軟性を有する発泡ウレタン製、発砲ポリエチレン製、スチレンフォーム製、ＥＰＳフォーム製、或いはエアーバッグであり、浮力体の表面は縦横の凹路を介して複数の膨出部が形成されているため、遊泳時の体の動きに追従し邪魔にならない。しかも、縦横の凹路が水流に対し、水路の作用を呈するため遊泳時の水の抵抗を減じることが出来る。
【００２３】
しかも、背部浮力体は水着の後身頃のファスナーにて、背骨を中心に左右に分割して内蔵されているため、遊泳時にあっては着用者の肩の三角筋の動きに支障なく追従することができ、着用しても違和感がない。
【図面の簡単な説明】
【図１】本考案の水着の正面図である。
【図２】本考案の水着の背面図である。
【図３】胸部浮力体の正面図である。
【図４】図３の矢印線で示す部分の断面図である。
【図５】（ａ）、（ｂ）背部浮力体の正面図である。
【図６】図５（ｂ）の矢印線で示す部分の断面図である。
【図７】胸部浮力体をエアーバッグとした実施例の縦断面図である。
【図８】背部浮力体をエアーバッグとした実施例の縦断面図である。
【符号の説明】
１、水着
２、ファスナー
３、後身頃
４、胸部浮力体
４Ａ、１０Ａ、平滑面
４Ｂ、１０Ｂ、表面
５、１２、膨出
６、１３、凹路
７、１４、膨出部
７Ａ、１４Ａ　空気室
８、縫着
９、１１袋部
１０、背部浮力体
【図１】
0003098948.tif 000003
【図２】
0003098948.tif 000004
【図３】
0003098948.tif 000005
【図４】
0003098948.tif 000006
【図５】
0003098948.tif 000007
【図６】
0003098948.tif 000008
【図７】
0003098948.tif 000009
【図８】
0003098948.tif 000010